(57)【要約】      （修正有）【課題】感触を使用者の好みに合わせることができるようにするとともに、各区画室への詰め物の詰め込み、詰め替えが容易に行える寝具用枕を提供する。【解決手段】表裏の布地により、身長方向中心部で折り重ね可能な上層枕２と下層枕３とを形成するとともに、該上層枕２と下層枕３との周縁部に互いに係脱可能な周縁ファスナー１２を設け、前記上層枕２と下層枕３とに、重ね方向で互いに対面する複数の区画室を形成し、上層枕２及び下層枕３の相対する側の布地の一部に各区画室を開くスリット１３を設けるとともに、該スリット１３の周縁に筒状の口布を出没可能に設け、前記スリット１３を開閉するスリットファスナー１５を設ける。【選択図】図１
0003154563.tif 000002
【実用新案登録請求の範囲】
【請求項１】
表裏の布地（４，５）により、身長方向中心部で折り重ね可能な上層枕（２）と下層枕（３）とを形成するとともに、該上層枕（２）と下層枕（３）との周縁部に互いに係脱可能な周縁ファスナー（１２）を設け、前記上層枕（２）と下層枕（３）とに、重ね方向で互いに対面する複数の区画室（１０ａ〜１０ｇ，１１ａ〜１１ｇ）を形成し、上層枕（２）及び下層枕（３）の相対する側の布地（５）の一部に各区画室（１０ａ〜１０ｇ，１１ａ〜１１ｇ）を開くスリット（１３）を設けるとともに、該スリット（１３）の周縁に筒状の口布（１４）を出没可能に設け、前記スリット（１３）を開閉するスリットファスナー（１５）を設け、前記口布（１４）を介して各区画室（１０ａ〜１０ｇ，１１ａ〜１１ｇ）に詰め物を収容したことを特徴とする寝具用枕。
【請求項２】
上層枕（２）又は下層枕（３）の周縁部に帯状の外周襠布（７）を設けるとともに、該外周襠布（７）の外端縁に周縁ファスナー（１２ａ）を設けたことを特徴とする請求項１記載の寝具用枕。
【請求項３】
下層枕（３）の身長方向外端部に吊り紐（１６）を設けたことを特徴とする請求項１又は２記載の寝具用枕。
【考案の詳細な説明】
【技術分野】
【０００１】
本考案は、内部を複数に区画するとともに、各区画室に材質の異なる詰め物が収容できるようにした寝具用枕に関するものである。
【背景技術】
【０００２】
一般に、内部を複数に区画し、各区画室に硬さ、摩擦係数、熱伝導率等の異なる詰め物が収容できるようにすると、寝具用枕の感触、即ち、冷感、暖感、硬軟等の感触を使用者の好みに対応させることができる。ところで、従来の技術として特許文献１があった。即ち、上下の布地により内部が複数に区画された小室（区画室）を形成するとともに、各小室を形成する際に上下の布地間にセパレートシートを介在させ、該セパレートシートで各小室を上下に２分する。
【０００３】
前記各小室の上布地の一部にファスナーを設け、該ファスナーにより各小室を開閉可能とし、また、各小室内のセパレートシートは、前記ファスナー側端部にオーバーサイズ部分を設け、該オーバーサイズ部分を折り返すことによって各小室の上下に収容した異別の詰め物が互いに混合しないようにする。
【０００４】
前記特許文献１は、上下の布地間にセパレートシートを介在させ、該セパレートシートで各小室を上下に２分するようにしていたので、各小室への詰め物の詰め込みに手数を要するものであった。また、各小室の上布地に開閉用のファスナーを設けるようにしていたので、使用中にファスナーが不用意に開いたり、ファスナー部が頭部に接触して違和感を感じたりすることがあった。
【先行技術文献】
【特許文献】
【０００５】
【特許文献１】特許第３８７３２２８号公報
【考案の概要】
【考案が解決しようとする課題】
【０００６】
本考案は、寝具用枕の感触を使用者の好みに合わせることができるようにするとともに、各区画室への詰め物の詰め込み、詰め替えが容易に行える寝具用枕を得ることを目的とする。
【課題を解決するための手段】
【０００７】
請求項１に係る考案は、表裏の布地により、身長方向中心部で折り重ね可能な上層枕と下層枕とを形成するとともに、該上層枕と下層枕との周縁部に互いに係脱可能な周縁ファスナーを設け、前記上層枕と下層枕とに、重ね方向で互いに対面する複数の区画室を形成し、上層枕及び下層枕の相対する側の布地の一部に各区画室を開くスリットを設けるとともに、該スリットの周縁に筒状の口布を出没可能に設け、前記スリットを開閉するスリットファスナーを設け、前記口布を介して各区画室に詰め物を収容する構成にしたものである。
請求項２に係る考案は、上層枕又は下層枕の周縁部に帯状の外周襠布を設けるとともに、該外周襠布の外端縁に周縁ファスナーを設けるようにしたものである。
請求項３に係る考案は、下層枕の身長方向外端部に吊り紐を設けるようにしたものである。
【考案の効果】
【０００８】
請求項１に係る考案は、周縁ファスナーを開いて上層枕と下層枕とを面状に広げ、各スリットファスナーを開くと、各区画室から筒状の口布が露出することになる、これにより、該筒状の口布を介して各区画室に詰め物を容易に収容することができる。また、各区画室に詰め物を収容した後、前記口布を絞って各区画室に押し込むみ、スリットファスナーを閉操作すると、各区画室に収容した詰め物の漏洩が口布によって確実に阻止されることになる。また、上層枕と下層枕とを折り畳んで周縁ファスナーを閉操作すると、前記スリット及び該スリットを開閉するスリットファスナーが上層枕と下層枕との重なり面側に位置し、これらが使用者の頭部に接触しなくなる。さらに、前記上層枕の各区画室に硬さ、摩擦係数、熱伝導率等の異なる詰め物を適宜選択して収容することにより、寝具用枕の感触を使用者の好みに対応させることができる。
請求項２に係る考案は、上層枕と下層枕との周縁部が帯状の外周襠布を介して連結されるので、各区画室への詰め物の充填量に左右されることなく、上下に重なった上層枕と下層枕との形態を面状に保持することができる。
請求項３に係る考案は、周縁ファスナーを開いて上層枕と下層枕とを面状に広げると、下層枕の身長方向外端部に設けた吊り紐が露出し、該吊り紐を介して面状に広げた寝具用枕を安定して物干し竿等に吊るすことができる。
【図面の簡単な説明】
【０００９】
【図１】寝具用枕の上層枕と下層枕とを広げた状態の平面図である。
【図２】寝具用枕の上層枕と下層枕とを重ねた状態の平面図である。
【図３】図１のIII-III 断面図である。
【図４】図２のIV-IV断面図
【図５】図３の部分拡大断面図である。
【考案を実施するための形態】
【００１０】
図１、図２において、１は寝具用枕であり、上層枕２と下層枕３とを身長方向中心部で折り重ね可能となっている。該上層枕２と下層枕３は、図３に示すように、表布地４と裏布地５との周縁部、及び両者の身長方向中心部を縫着して上層袋２ａと下層袋３ａとを形成し、表布地４と裏布地５との内部を複数に区画する。即ち、図１において、前記表布地４と裏布地５との周縁部、両者の身長方向中心部、両者の左右中間部の２箇所は、直接表布地４と裏布地５とを接触させて縫着（ア）し、表布地４と裏布地５との身長方向中間部は、図３に示すように、帯状の内部襠布６を介して縫着（イ）する。
【００１１】
これにより、図１に示すように、上層袋２ａに７個の区画室１０ａ〜１０ｇ、即ち、左右側部にそれぞれ上下２個の区画室１０ａ〜１０ｄを、左右中間部に上下３個の区画室１０ｅ〜１０ｇを有する上層枕２を形成し、下層袋３ａに７個の区画室１１ａ〜１１ｇ、即ち、左右側部にそれぞれ上下２個の区画室１１ａ〜１１ｄを、左右中間部に上下３個の区画室１１ｅ〜１１ｇを有する下層枕３を形成する。
【００１２】
前記上層枕２と下層枕３との周縁部に互いに係脱可能な周縁ファスナー１２（上周縁ファスナー１２ａ、下周縁ファスナー１２ｂ）を縫着する。この場合、上層枕２に縫着する上周縁ファスナー１２ａは、該上層枕２の周縁に縫着した帯状の外周襠布７の外縁に縫着し、該上周縁ファスナー１２ａを下層枕３の周縁部に縫着した下周縁ファスナー１２ｂに係脱させる。なお、前記外周襠布７は下層枕３の周縁部に縫着するようにしてもよい。
【００１３】
前記上層枕２に形成した各区画室１０ａ〜１０ｇと下層枕３に形成した各区画室１１ａ〜１１ｇは、重ね方向で互いに対面させるとともに、各区画室１０ａ〜１０ｇ、１１ａ〜１１ｇの相対する側の裏布地５の一部に、図５に示すように、各区画室を開くスリット１３を形成するとともに、該スリット１３の周縁に筒状の口布１４を出没可能に縫着する。また、前記各スリット１３に、該スリット１３を開閉するスリットファスナー１５を取り付ける。
【００１４】
前記上層袋２ａの左右中間部の区画室１０ｅ〜１０ｇのうち、頭部を受ける上下中間部の区画室１０ｆは、図１、図５に示すように、区画室１０ｆの上下２箇所の一部の表布地４と裏布地５とを縫着（ウ）し、区画室１０ｆに収容した詰め物による張り出し力を高くし、頭部の負荷による変形が少なくなるようにする。また、図１に示すように、前記下層枕３の身長方向外端部の左右３箇所に環状の吊り紐１６を縫着する。該吊り紐１６は、寝具用枕１を開いた状態で物干し竿等に掛け易くするためのものである。
【００１５】
図２において、１ａは寝具用枕１の肩部側左右中心部に形成した逃げ凹部であり、これにより、寝具用枕１が使用者の頭部を受けた際に、前記逃げ凹部１ａが使用者の首部に嵌入し、寝具用枕１の左右両側が、使用者の肩部に発生した布団の隙間を閉塞するようになっている。
【００１６】
そして、周縁ファスナー１２を開いて上層枕２と下層枕３とを面状に広げ、各スリットファスナー１５を開き、各区画室１０ａ〜１０ｇ、１１ａ〜１１ｇから筒状の口布１４を外部に露出させ（図５）、該口布１４を介して各区画室１０ａ〜１０ｇ、１１ａ〜１１ｇに詰め物１７、例えば、上層枕２の各区画室１０ａ〜１０ｇに柔らかい感触を呈する綿状の詰め物１７ａを、下層枕３の各区画室１１ａ〜１１ｇに硬い感触を呈するプラスチック製の球筒状の詰め物１７ｂを収容する。
【００１７】
前記詰め物１７を収容した後、前記口布１４を絞って各区画室１０ａ〜１０ｇ、１１ａ〜１１ｇに押し込み、スリットファスナー１５を閉操作して各スリット１３を閉じ、次いで、前記上層枕２と下層枕３とを、スリット１３及びスリットファスナー１５が対面する側に折り畳んで周縁ファスナー１２を閉操作し、寝具用枕１を形成する。
【００１８】
これにより、上層枕２と下層枕３との感触が互いに異なり、使用者は上層枕２と下層枕３とを上下に向きを換えることにより、好みの感触を得ることができる。この場合、スリット１３及びスリットファスナー１５が上層枕２と下層枕３との重なり面側に位置し、これらが使用者の頭部に接触することがなく、詰め物本来の感触を発揮させることができる。また、各区画室１０ａ〜１０ｇ、１１ａ〜１１ｇに硬さ、摩擦係数、熱伝導率等の異なる詰め物を適宜選択して収容することにより、寝具用枕の感触を使用者の好みに対応させることができる。
【符号の説明】
【００１９】
１      寝具用枕
１ａ    逃げ凹部
２      上層枕
２ａ    上層袋
３      下層枕
３ａ    下層袋
４      表布地
５      裏布地
６      内部襠布
７      外周襠布
１０ａ〜１０ｇ、１１ａ〜１１ｇ    区画室
１２      周縁フアスナー
１２ａ    上周縁ファスナー
１２ｂ    下周縁ファスナー
１３      スリット
１４      口布
１５      スリットフアスナー
１６      吊り紐
１７      詰め物
１７ａ    綿状詰め物
１７ｂ    球筒状詰め物
【図１】
0003154563.tif 000003
【図２】
0003154563.tif 000004
【図３】
0003154563.tif 000005
【図４】
0003154563.tif 000006
【図５】
0003154563.tif 000007